(57)【要約】【課題】被覆屑を確実に目視により観察しつつ回収することのできる皮剥ぎ器用アダプタを提供すること。【解決手段】電線の先端を挿入して被覆を剥ぐ皮剥ぎ器１００に取り付けるアダプタ１０であって、電線から剥いだ被覆屑を外部に排出する皮剥ぎ器の排出口１０３ｂを覆うように形成されている胴体部１１と取付部１２を備えて、取付部１２は、皮剥ぎ器に排出口を覆うように取り付け、胴体部１１は、取付部の反対側で電線の先端を皮剥ぎ器の挿込穴に挿し込み可能に開口する挿込口１３を有して、少なくとも排出口を覆う範囲内が目視可能な透明材料で作製されている。【選択図】図１
2014011813.tif 000002
【特許請求の範囲】
【請求項１】
電線の先端を挿入して被覆を剥ぐ皮剥ぎ器に取り付けるアダプタであって、
前記電線から剥いだ被覆屑を外部に排出する前記皮剥ぎ器の排出口を覆うように形成されている本体部を備えて、
該本体部は、前記排出口を覆うように前記皮剥ぎ器に取り付ける取付部と、前記電線の先端を前記皮剥ぎ器の挿込穴に挿し込み可能に開口する挿込口と、を有して、少なくとも前記排出口を覆う範囲内が目視可能な透明材料で作製されていることを特徴とする皮剥ぎ器用アダプタ。
【請求項２】
前記本体部は、前記被覆屑を回収可能に外部に開口する回収口を備えることを特徴とする請求項１に記載の皮剥ぎ器用アダプタ。
【請求項３】
前記本体部は、前記挿込口と前記回収口として共通使用可能に前記皮剥ぎ器の前記挿込穴の周りが開口していることを特徴とする請求項２に記載の皮剥ぎ器用アダプタ。
【請求項４】
前記皮剥ぎ器が円柱形状に形成されて一端側端面に前記挿込穴を有し外周面側に前記排出口を有するのに対して、
前記本体部は、前記皮剥ぎ器の前記排出口よりも前記挿込穴から離隔する基端側から該挿込穴に向かって径を拡大させている筒形状に形成されて小径側に前記取付部を配置されており、
該取付部は、当該皮剥ぎ器の基端側外径よりも小径に形成されて弾性変形することにより脱落しないように取り付けられることを特徴とする請求項１から３のいずれか１項に記載の皮剥ぎ器用アダプタ。
【請求項５】
前記皮剥ぎ器が円柱形状に形成されて一端側端面に前記挿込穴を有し外周面側に前記排出口を有して、内部に向かって進退する凸形状を備える絶縁操作棒先端のアタッチメントを介して、前記排出口よりも前記挿込穴から離隔する基端側に形成されている凹形状内に前記凸形状を突出または後退させて着脱自在に構築されているのに対して、
前記本体部は、前記皮剥ぎ器の前記排出口よりも前記挿込穴から離隔する基端側から該挿込穴に向かって径を拡大させている筒形状に形成されて小径側に前記取付部を配置されており、
該取付部は、前記アタッチメントの凸形状を進入可能な穴形状または溝形状を備えて、前記皮剥ぎ器と共に取り付けられることを特徴とする請求項１から３のいずれか１項に記載の皮剥ぎ器用アダプタ。
【発明の詳細な説明】
【技術分野】
【０００１】
本発明は、皮剥ぎ器用アダプタに関し、詳しくは、接続する電線の先端の被覆を剥ぐ作業の邪魔をすることなく被覆屑を回収するものに関する。
【背景技術】
【０００２】
電線の先端を接続する場合には、その絶縁性を確保する被覆を剥いで心線（導線）を露出させる必要があり、その電線先端を挿し込んで回転させるだけで被覆を剥ぐ皮剥ぎ器が多用されている（例えば、特許文献１）。
この皮剥ぎ器は、電線から剥いだ被覆屑を排出口から排出するだけであることから、作業現場に散乱させてしまう。
このことから、皮剥ぎ器には、網目状材料を袋形状に作製した屑カバーを着脱可能に準備するものが市販されている。
【先行技術文献】
【特許文献】
【０００３】
【特許文献１】特開２０１２−１６２５７号公報
【発明の概要】
【発明が解決しようとする課題】
【０００４】
しかしながら、このような皮剥ぎ器にあっては、排出口から排出される被覆屑を観察して確認しながら作業することから、網目状材料の屑カバーでは、排出される被覆屑が見難く、実質的に目視により観察しつつ作業することができない。
そこで、本発明は、被覆屑を確実に目視により観察しつつ回収することのできる皮剥ぎ器用アダプタを提供することを目的としている。
【課題を解決するための手段】
【０００５】
上記課題を解決する皮剥ぎ器用アダプタの発明の一態様は、電線の先端を挿入して被覆を剥ぐ皮剥ぎ器に取り付けるアダプタであって、前記電線から剥いだ被覆屑を外部に排出する前記皮剥ぎ器の排出口を覆うように形成されている本体部を備えて、該本体部は、前記排出口を覆うように前記皮剥ぎ器に取り付ける取付部と、前記電線の先端を前記皮剥ぎ器の挿込穴に挿し込み可能に開口する挿込口と、を有して、少なくとも前記排出口を覆う範囲内が目視可能な透明材料で作製されていることを特徴とするものである。
【発明の効果】
【０００６】
このように本発明の一態様によれば、本体部で覆われている排出口を透明材料を介して外部から目視により確認することができ、排出口からの被覆屑の排出を観察することができる。したがって、被覆屑を回収可能に収容しつつ観察しながら作業することができ、その被覆屑を散乱させてしまうことなく、効率よく電線先端の皮剥ぎ作業を行うことができる。
【図面の簡単な説明】
【０００７】
【図１】本発明に係る皮剥ぎ器用アダプタの第１実施形態を示す図であり、その使用時の形態を示す正面図である。
【図２】その皮剥ぎ器を示す図であり、（ａ）はその正面図、（ｂ）はその上面図である。
【図３】その皮剥ぎ器を絶縁操作棒に連結するためのアタッチメントを示す図であり、（ａ）はその一方向からの正面図、（ｂ）はその側面図である。
【図４】その絶縁操作棒の正面図である。
【図５】その第１実施形態の全体構成を示す正面図である。
【図６】本発明に係る皮剥ぎ器用アダプタの第２実施形態を示す図であり、その全体構成を示す正面図である。
【発明を実施するための形態】
【０００８】
本発明の実施形態の一態様としては、電線の先端を挿入して被覆を剥ぐ皮剥ぎ器に取り付けるアダプタであって、前記電線から剥いだ被覆屑を外部に排出する前記皮剥ぎ器の排出口を覆うように形成されている本体部を備えて、該本体部は、前記排出口を覆うように前記皮剥ぎ器に取り付ける取付部と、前記電線の先端を前記皮剥ぎ器の挿込穴に挿し込み可能に開口する挿込口と、を有して、少なくとも前記排出口を覆う範囲内が目視可能な透明材料で作製されている構成を備えるのに加えて、次の構成を備えてもよい。
【０００９】
第１の他の態様としては、前記本体部は、前記被覆屑を回収可能に外部に開口する回収口を備えていてもよい。
この態様では、本体部内に排出された被覆屑を外部に開口する回収口から取り出して回収することができる。したがって、被覆屑を回収するために着脱する必要がなく、皮剥ぎ作業を継続することができる。
【００１０】
第２の他の態様としては、前記本体部は、前記挿込口および前記回収口として共通使用可能に前記皮剥ぎ器の前記挿込穴の周りが開口していてもよい。
この態様では、挿込口と回収口を共通の開口にして利用することができる。したがって、挿込口と回収口を別個にするよりも簡易な構造にして、容易かつ安価に作製準備することができる。
【００１１】
第３の他の態様としては、前記皮剥ぎ器が円柱形状に形成されて一端側端面に前記挿込穴を有し外周面側に前記排出口を有するのに対して、前記本体部は、前記皮剥ぎ器の前記排出口よりも前記挿込穴から離隔する基端側から該挿込穴に向かって径を拡大させている筒形状に形成されて小径側に前記取付部を配置されており、該取付部は、当該皮剥ぎ器の基端側外径よりも小径に形成されて弾性変形することにより脱落しないように取り付けられていてもよい。
この態様では、本体部の取付部側を概略円錐形状に形成して、小径部を弾性変形させて皮剥ぎ器の排出口よりも基端側に着脱することができる。したがって、締め付け具などのような煩雑な作業をすることなく、皮剥ぎ器に容易に着脱することができる。
この場合、小径部は、皮剥ぎ器の円柱形状の軸方向と平行に複数本のスリットを形成することにより容易に弾性変形させて着脱可能にしてもよい。
【００１２】
第４の他の態様としては、前記皮剥ぎ器が円柱形状に形成されて一端側端面に前記挿込穴を有し外周面側に前記排出口を有して、内部に向かって進退する凸形状を備える絶縁操作棒先端のアタッチメントを介して、前記排出口よりも前記挿込穴から離隔する基端側に形成されている凹形状内に前記凸形状を突出または後退させて着脱自在に構築されているのに対して、前記本体部は、前記皮剥ぎ器の前記排出口よりも前記挿込穴から離隔する基端側から該挿込穴に向かって径を拡大させている筒形状に形成されて小径側に前記取付部を配置されており、該取付部は、前記アタッチメントの凸形状を進入可能な穴形状または溝形状を備えて、前記皮剥ぎ器と共に取り付けられていてもよい。
この態様では、本体部の取付部側を概略円錐形状に形成して、取付部の小径側の穴形状または溝形状内に、絶縁操作棒先端のアタッチメントの凸形状を進入させて、皮剥ぎ器と共に着脱することができる。したがって、締め付け具などのような煩雑な作業をすることなく、皮剥ぎ器と共に絶縁操作棒先端に容易に着脱することができる。
このとき、皮剥ぎ器が剥いだ電線の被覆屑を、絶縁操作棒先端の遠隔位置のまま観察して本体部内に収容することができ、回収口がある場合には、そこから回収して皮剥ぎ作業を継続することができる。
【００１３】
以下、図面を参照して、本発明の実施形態について詳細に説明する。図１〜図５は本発明に係る皮剥ぎ器用アダプタの第１実施形態を示す図である。
【００１４】
図１において、皮剥ぎ器用アダプタ１０は、例えば、電力供給する配電線の先端を変圧器などに接続する場合に、その配電線先端の被覆を剥ぐ作業時に使用する皮剥ぎ器１００に取り付けるものであり、配電線先端から剥いだ被覆屑が作業現場に散乱しないように一時的に収容保持して容易に回収可能にするものである。ここで、この皮剥ぎ器１００は、図４に示す後述の絶縁操作棒２００の先端に取り付けて使用できるようになっており、以下では、その絶縁操作棒２００を基準にして、その先端側と作業員が把持する基端側として説明する。
【００１５】
皮剥ぎ器１００は、図２に示すように、外形全体を概略円柱形状に形成された皮剥ぎ部（本体部）１０１と、この皮剥ぎ部１０１の基端側端面から同軸方向外方に延長されている柱状部材の取付軸１０９と、を備えている。この皮剥ぎ器１００は、図３に示すアタッチメント１５０を介して、図４に示す絶縁操作棒２００の先端に取付軸１０９側を着脱可能に取り付けて、遠隔位置で絶縁性を有する、例えば、ヤットコなどの把持道具で掴んで固定する電線先端の被覆を剥ぐ作業を実現する。
【００１６】
この皮剥ぎ器１００は、皮剥ぎ部１０１の先端側（取付軸１０９の反対側）に位置して電線先端の被覆を剥ぐストリップ部１０２と、そのストリップ部１０２を通過する電線先端を収容する収容部１０６と、を同軸方向に連続する形態で一体形成されている。
ストリップ部１０２は、先端側端面１０２ａの中心に電線先端を挿し込む挿込穴１０３ａを開口させて収容部１０６側に連続する空間の中空部１０３が内部に形成されている。このストリップ部１０２は、その中空部１０３内に、挿し込まれる電線先端から被覆を剥ぐ刃部１０４が固定されており、この中空部１０３は、その刃部１０４の取付位置から外周面側に連続する排出口１０３ｂが開口している。
収容部１０６は、ストリップ部１０２の中空部１０３に連続して、先端側端面１０２ａの挿込穴１０３ａ内に挿し込んで被覆を剥いだ後の電線先端を収容する空間の収容空間１０６ａが内部に形成されている。
これにより、皮剥ぎ器１００は、ストリップ部１０２の中空部１０３内に挿込穴１０３ａから電線先端を挿し込みつつ回転させることにより、刃部１０４が電線先端から被覆に切り込んで剥いだ被覆を排出口１０３ｂから被覆屑として排出する。
【００１７】
アタッチメント１５０は、図３に示すように、中間部に底部１５０ａを有して両端側を開口させる有底の概略円筒形状に形成されている。このアタッチメント１５０は、使用時に先端側とする円筒形状部１５１内に、皮剥ぎ器１００の皮剥ぎ部１０１（収容部１０６）の基端側を収容可能に開口する大径穴１５１ａと、この大径穴１５１ａと同軸方向に連続して皮剥ぎ器１００の取付軸１０９を収容可能に開口する小径穴１５１ｂとが穿孔形成されている。
円筒形状部１５１には、スナップフィット１５２が先端側外周面端部に配置されている。スナップフィット１５２は、円筒形状部１５１の軸方向に対して直交方向に延長される姿勢で固定される円柱部材１５３と、この円柱部材１５３に内蔵されて不図示のスプリングなどにより円筒形状部１５１の大径穴１５１ａ内に向う方向に付勢されている突起棒１５４と、この突起棒１５４の後端部に固定されて円柱部材１５３の端面に突き当たることで抜けてしまうことを制限する円盤部材１５５と、を備えて構築されている。
これに対して、皮剥ぎ器１００は、収容部１０６の基端側外周面に、スナップフィット１５２の突起棒１５４の先端部１５４ａを嵌め込み可能な位置に、取付穴１０７が穿孔形成されている。
これにより、アタッチメント１５０は、スナップフィット１５２の円盤部材１５５を引いて、円筒形状部１５１（大径穴１５１ａ）内に凸形状で露出する突起棒１５４の先端部１５４ａを後退させることで、皮剥ぎ器１００の収容部１０６と取付軸１０９を大径穴１５１ａと小径穴１５１ｂ内に挿し込むことができる。そのスナップフィット１５２は、円盤部材１５５を離すと、上記スプリングの付勢力で円筒形状部１５１内に突起棒１５４の先端部１５４ａを凸形状に露出させて、皮剥ぎ器１００の収容部１０６の取付穴１０７内に嵌め込んで抜けないように連結することができる。
【００１８】
また、アタッチメント１５０は、使用時に基端側となる円筒形状部１６１に、円筒形状の対面する周面がそれぞれ概略Ｔ字形状に切り欠かれて開口することにより、その基端側から先端側に向う差込切欠部１６２と、この差込切欠部１６２の直交方向の両側に連続するように屈曲する係合切欠部１６３と、が一対形成されている。
【００１９】
これに対して、絶縁操作棒２００は、図４に示すように、円柱形状の先端部２００ａの互いに反対側となる側面に突起形状に一対立設されることによりアタッチメント１５０の円筒形状部１６１の２箇所の切欠部１６２、１６３内に挿し込んで係合させることのできるピン２０１と、先端部２００ａの先端面に配設されて不図示の内蔵スプリングにより突出方向に付勢されている突起２０２と、先端部２００ａの側面に刻設されている不図示のネジ形状に螺合して進退可能なグリップ２０３と、滑り難い材質の取替え可能な滑り止が施されて作業員の把持する基端部側の把持部２０４と、を備えている。
これにより、絶縁操作棒２００は、アタッチメント１５０の円筒形状部１６１内に先端部２００ａを挿し込んで底部１５０ａに突き当てることで突起２０２を内蔵スプリングの弾性力に抗して沈ませつつ回転させることで、そのアタッチメント１５０に連結することができる。
このとき、ピン２０１の双方が切欠部１６２、１６３内に進入して回転した後に、その進入させる力が解放されると、突起２０２がスプリングの弾性力により突出して円筒形状部１６１を押し出すことにより、その係合切欠部１６３の先端でさらに屈曲する端部１６４側にピン２０１を離脱不能に嵌め込むことができる。この後に、グリップ２０３を回転させて円筒形状部１６１側に寄せることによりピン２０１が係合切欠部１６３の端部１６４内から離脱して解放方向に回転しないようにロックすることもできる。
なお、この絶縁操作棒２００には、中間部分に傘カバー２０５、２０６が取り付けられているとともに、全体をプラスチックなどの絶縁材料で作製されることにより絶縁性が確保されており、間接活線工法を採用可能に、先端側の傘カバー２０５が先端側の皮剥ぎ器１００側からの水分を滴下させるとともに、基端側の傘カバー２０６が安全に作業を行い得る限界位置を示して、作業する際の安全を確保している。
【００２０】
そして、皮剥ぎ器用アダプタ１０は、本体部を構成する胴体部１１および取付部１２を備えて、皮剥ぎ器１００よりも大きな概略円筒形状に透明材料で形成されており、その皮剥ぎ器１００の収容部１０６からストリップ部１０２までの全体を外部から目視可能に内部に収納する。ここで、このアダプタ１０（胴体部１１および取付部１２）は、例えば、ＰＥＴ（polyethylene terephthalate）などの透明プラスチック材料で作製するのが割れることなく、また、軽量であることから容易に作業できて好適であり、所謂、飲料用のペットボトルなどの上部を流用して安価に作製してもよい。
【００２１】
胴体部１１は、皮剥ぎ器１００の略３倍の径を有するように形成されており、図５に示すように、一端側に皮剥ぎ器１００を内部に挿し込み可能に開口する挿込口１３が形成されて、他端側に取付部１２が連続して皮剥ぎ器１００への取付状態を維持するようになっている。
【００２２】
取付部１２は、胴体部１１の円筒形状の端部から滑らかに連続して徐々に径を絞る先細りのお椀形状（概略円錐形状）に形成されており、最端部の他端側に、皮剥ぎ器１００の収容部１０６の外径よりも小さめの内径に形成される取付口１４が開口している。この取付部１２は、取付口１４の端辺１４ａから胴体部１１側に向かう方向にスリット１５を複数本入れることにより複数枚の弾性片１６が形成されている。
【００２３】
これにより、この取付部１２は、収容部１０６への取付時に、弾性片１６がその外径に応じて弾性変形することによる弾性復帰力で押さえる状態にし、皮剥ぎ器１００への取付状態を維持することができる。ここで、スリット１５は、取付口１４の端辺１４ａの反対側にストップ穴１５ａが形成されて、さらに、内方まで割が進んでしまうことを制限している。なお、本実施形態では、複数の弾性片１６を形成する場合を一例にして説明するが、これに限るものではなく、例えば、取付口１４を皮剥ぎ器１００の収容部１０６の外径程度に形成して、嵌め込むだけで取り付けるようにしてもよい。
【００２４】
したがって、アダプタ１０は、挿込口１３から皮剥ぎ器１００を挿し込んで収容部１０６の端部を露出させた状態にして取付部１２（取付口１４）に締付具などを用いることなく容易に取り付けることができる。皮剥ぎ器１００は、アダプタ１０が邪魔になることなく、収容部１０６と取付軸１０９をアタッチメント１５０の円筒形状部１５１内に固定することができ、絶縁操作棒２００先端にセットすることができる。
【００２５】
この状態では、皮剥ぎ器１０は、ストリップ部１０２の排出口１０３ｂをアダプタ１０を介して目視することができ、挿込穴１０３ａ内に挿し込んで刃部１０４により剥がされた被覆屑がその排出口１０３ｂから排出される様子を観察することができる。また、このアダプタ１０は、皮剥ぎ器１０の全体を覆っているので、その排出口１０３ｂから排出される被覆屑を落下・散乱させることなく、胴体部１１や取付部１２との間に収容することができ、適宜、絶縁操作棒２００の先端側を下げるだけで（アダプタ１０を着脱することなく）、挿込口１３から回収することができる。すなわち、このアダプタ１０は、挿込口１３を回収口として共通利用可能に形成されている。
【００２６】
このように本実施形態においては、アダプタ１０を皮剥ぎ器１００に取り付けるだけで、排出口１０３ｂから排出される被覆屑の様子を観察しつつその被覆屑を回収して作業することができる。したがって、皮剥ぎ器１００の作業性を妨げることなく、絶縁操作棒２００先端の遠隔位置でも効率よく作業することができる。
【００２７】
次に、図６は本発明に係る皮剥ぎ器用アダプタの第２実施形態を示す図である。ここで、本実施形態は、上述実施形態と略同様に構成されていることから、同様の構成には同一の符号を付して特徴部分を説明する。
【００２８】
図６において、皮剥ぎ器用アダプタ２０は、アダプタ１０と同様に、皮剥ぎ器１００を内部に収納する状態で一緒にアタッチメント１５０を介して絶縁操作棒２００の先端に取り付けて使用できるようになっており、取付部１２には、スリット１５に代えて、取付ネック２１が一体形成されている。
【００２９】
取付ネック２１は、皮剥ぎ器１００の収容部１０６外径よりも大きめで、アタッチメント１５０の円筒形状部１５１の大径穴１５１ａよりも小さめの短尺な円筒形状に形成されており、皮剥ぎ器１００の収容部１０６の基端側外周面の取付穴１０７に対応する位置に貫通穴２２が開口している。ここで、この貫通穴２２は、アタッチメント１５０側の固定構造に応じた凹形状に準備すればよく、相手が一周する溝形状の場合には、同様に、その溝形状に嵌め込む溝形状に形成すればよい。
【００３０】
これにより、取付部１２は、皮剥ぎ器１００の収容部１０６の基端側と共に取付ネック２１をアタッチメント１５０の円筒形状部１５１内に挿し込んで、スナップフィット１５２の突起棒１５４の先端部１５４ａを貫通穴２２を介して取付穴１０７内に嵌め込むことができ、抜けないように連結することができる。
【００３１】
このように本実施形態においては、上述実施形態の作用効果に加えて、アダプタ２０を皮剥ぎ器１００と共にアタッチメント１５０のスナップフィット１５２で連結固定することができ、絶縁操作棒２００の先端側を下向きにした場合でも、脱落してしまうことがない。したがって、作業場所を移動したり、被覆屑を回収する際にアダプタ２０が脱落してしまうことがなく、作業性を向上させることができる。
【００３２】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００３３】
これまで本発明の一実施形態について説明したが、本発明は上述の実施形態に限定されず、その技術的思想の範囲内において種々異なる形態にて実施されてよいことは言うまでもない。
【符号の説明】
【００３４】
１０、２０    皮剥ぎ器用アダプタ
１１   胴体部
１２   取付部
１３   挿込口
１４   取付口
１５   スリット
１６   弾性片
２１   取付ネック
２２   貫通穴
１００ 皮剥ぎ器
１０２ ストリップ部
１０３ａ      挿込穴
１０３ｂ      排出口
１０４ 刃部
１０６ 収容部
１０７ 取付穴
１０９ 取付軸
１５０ アタッチメント
１５１、１６１       円筒形状部
１５２ スナップフィット
１５４ 突起棒
１５４ａ      先端部
２００ 絶縁操作棒
２０４ 把持部
【図１】
2014011813.tif 000003
【図２】
2014011813.tif 000004
【図３】
2014011813.tif 000005
【図４】
2014011813.tif 000006
【図５】
2014011813.tif 000007
【図６】
2014011813.tif 000008